(57)【要約】【課題】本発明は、ケーブル圧接型コネクタに関し、従来のケーブル圧接型コネクタにおいて圧接カバーの浮き上がりが生じることが課題であって、それを解決することである。【解決手段】絶縁性ハウジング２と該絶縁性ハウジングに併設された複数個のコンタクト５と、該コンタクトの露出した端子部に電気的に接続される電線を圧入するように前記絶縁性ハウジングに結合される絶縁性圧接カバー３とから成るケーブル圧接型コネクタにおいて、前記圧接カバー３におけるケーブル幅に対応する幅方向の両端部に設けられる係止部と、該両端部に結合時に対応する位置に前記絶縁性ハウジングに設けられる係合固定部とが設けられると共に、前記圧接カバー３の幅方向の中央部とこれに対応する位置の前記絶縁性ハウジング２の中央部とに、先端部に係止爪を有する弾性片４ａとこの弾性片の係止爪４ｃに対応して係止する係止部４ｂとをそれぞれ一方と他方とに浮上り防止手段４として設けたケーブル圧接型コネクタ１とするものである。【選択図】図１
2011090831.tif 000002
【特許請求の範囲】
【請求項１】
絶縁性ハウジングと該絶縁性ハウジングに併設された複数個のコンタクトと、該コンタクトの露出した端子部に電気的に接続される電線を圧入するように前記絶縁性ハウジングに結合される絶縁性圧接カバーとから成るケーブル圧接型コネクタにおいて、
前記圧接カバーの幅方向の中央部とこれに対応する位置の前記絶縁性ハウジングの中央部とに、先端部に係止爪を有する弾性片とこの弾性片の係止爪に対応して係止する係止部とをそれぞれ一方と他方とに備えて成る浮上り防止手段を設けたこと、
を特徴とするケーブル圧接型コネクタ。
【請求項２】
浮上り防止手段は、ケーブル圧接型コネクタのコンタクト数に応じて一個所若しくは複数個所に設けられること、
を特徴とする請求項１に記載のケーブル圧接型コネクタ。
【請求項３】
浮上り防止手段が複数個所に設けられる際に、一群の信号電気線同士の間のクリアランスに対応した位置に前記浮上り防止手段が設けられること、
を特徴とする請求項１に記載のケーブル圧接型コネクタ。
【請求項４】
浮上り防止手段における係止爪と係止部との係止作用を外部から解除できるように、係止部側の絶縁本体に圧接方向において解除操作できる切欠き部が設けられていること、
を特徴とする請求項１乃至２のいずれかに記載のケーブル圧接型コネクタ。
【発明の詳細な説明】
【技術分野】
【０００１】
本発明は、ケーブル圧接型コネクタにおける圧接固定保持に関するものである。
【背景技術】
【０００２】
従来、コンタクトの端子部に形成された圧接溝に信号電線等を押圧して押し込み、前記電線の絶縁被覆を前記圧接溝の内縁切断刃により切り裂き、剥き出しとなった心線と前記端子部とを電気的に接続されるものとして、図９乃至図１０に示す圧接コネクタが知られている。この圧接コネクタにおいては、多数のコンタクト５を併設しその端子部を外部に露出させてコンタクト本体部を埋設している合成樹脂製のハウジング１１に圧接カバー１２でケーブルを圧接させた場合に、前記ケーブルを上下から圧接カバー１２で挟むようにして該圧接カバー１２の両端部で係止手段により結合している。
【０００３】
このようなケーブルの係止手段においては、前記圧接カバー１２の閉蓋後に、ケーブル幅に対応した圧接カバーの幅方向の中間部１２ａが、前記ハウジング１１から浮き上がってしまうことがある。そのような現象は、携帯電話等で益々小型化・高性能化されて心線数が増加する将来において頻繁に生じるおそれがある。圧接カバー１２の中央部が浮き上がることで、前記心線の保持力が弱まり強い引張力がケーブルに作用すると、コンタクトからケーブルが抜ける恐れもあり、電気的接続の信頼性が損なわれる。そこで、圧接溝に電線保持部を別途コンタクト上に有したものが有るが（特許文献１参照）、コンタクトの加工工数が増加してコストが嵩むという課題がある。また、圧接カバーとハウジングとの間において、この一方に圧入突起を設け、対応する他方に圧入穴を設けて、更に前記圧入突起の間に空間保持突起を有して成る圧接型コネクタが知られている（特許文献２参照）。
【先行技術文献】
【特許文献】
【０００４】
【特許文献１】実開平０２−５７５６３号公報
【特許文献２】特開２００６−１４７２７３号公報
【発明の概要】
【発明が解決しようとする課題】
【０００５】
しかし、上記ケーブル圧接型コネクタにおいては、圧入型であるために、圧入作業の途中において接触抵抗が増大して、大きな圧入力が必要となって作業性が悪くなり、また、モールド型の仕上がり成型精度によっては、圧入面の平面度の寸法誤差で圧入力が一定しないことがある。更に、一度圧接すると圧接カバーの取り外しがほとんど不可能である。圧接カバーを取り外し、圧接状態、電気的検査を実施したい等にて不都合である。本発明に係るケーブル圧接型コネクタは、このような課題を解決するために提案されたものである。
【課題を解決するための手段】
【０００６】
本発明に係るケーブル圧接型コネクタの上記課題を解決して目的を達成するための要旨は、絶縁性ハウジングと該絶縁性ハウジングに併設された複数個のコンタクトと、該コンタクトの露出した端子部に電気的に接続される電線を圧入するように前記絶縁性ハウジングに結合される絶縁性圧接カバーとから成るケーブル圧接型コネクタにおいて、前記圧接カバーの幅方向の中央部とこれに対応する位置の前記絶縁性ハウジングの中央部とに、先端部に係止爪を有する弾性片とこの弾性片の係止爪に対応して係止する係止部とをそれぞれ一方と他方とに備えて成る浮上り防止手段を設けたことである。
【０００７】
前記浮上り防止手段は、ケーブル圧接型コネクタのコンタクト数に応じて一個所若しくは複数個所に設けられることであり、前記浮上り防止手段が複数個所に設けられる際に、一群の信号電気端子部同士の間のクリアランスに対応した位置に前記浮上り防止手段が設けられることであり、前記浮上り防止手段における係止爪と係止部との係止作用を外部から解除できるように、係止部側の絶縁本体に圧接方向において解除操作できる切欠き部が設けられていることを含むものである。
【発明の効果】
【０００８】
本発明のケーブル圧接型コネクタによれば、圧接カバーの圧接時においては、ケーブルが圧入溝に差し込まれるに必要な圧力のみが必要であり、最後は圧接カバーの幅方向における両端部の固定作用と中央部の浮上り防止手段の固定作用に必要な圧力が必要と成り、無駄な挿着抵抗が無く圧入作業がスムーズになる。
【０００９】
また、浮上り防止手段により圧接カバーの中央部の浮き上がりが防止され、ケーブルの抜け出るおそれが無くなる。また、ケーブル圧接型コネクタの幅方向の長さにより、適宜に、前記浮上り防止手段を加減して設けるので、適切に圧接カバーの浮き上がりが防止される。前記浮上り防止手段が複数個所に設けられる際に、一群の信号電気線同士の間のクリアランスに対応した位置に前記浮上り防止手段が設けられるので、設計的にケーブル配置の扱いが容易になる。
【００１０】
更に、解除操作がし易いように、絶縁体本体に切欠き部が設けられるので、容易に浮上り防止手段の係止作用を解除して圧接カバーを取り外すことも可能である、と言う数々の優れた効果を奏するものである。
【図面の簡単な説明】
【００１１】
【図１】本発明に係るケーブル圧接型コネクタ１の全体斜視図である。
【図２】同本発明のケーブル圧接型コネクタ１における、圧接カバー２の全体斜視図（Ａ）と、それを裏側から見た斜視図（Ｂ）と、ハウジング３の全体斜視図（Ｃ）と、その裏側から見た斜視図（Ｄ）とである。
【図３】同本発明に係るケーブル圧接型コネクタ１の組み立て工程を示す説明斜視図である。
【図４】同本発明に係るケーブル圧接型コネクタの使用状態を示す正面図（Ａ）、平面図（Ｂ）、底面図（Ｃ），Ｂ−Ｂ線に沿った側断面図（Ｄ）である。
【図５】図４（Ｂ）のＡ−Ａ線に沿った断面図である。
【図６】同本発明に係る垂直嵌合型のケーブル圧接型コネクタ１ａの場合における正面図（Ａ）、平面図（Ｂ）、底面図（Ｃ），側断面図（Ｄ）である。
【図７】同垂直嵌合型のケーブル圧接型コネクタ１ａにおける絶縁性ハウジング７の裏面側と表面側との斜視図（Ａ），（Ｂ）である。
【図８】浮上り防止手段４とコンタクト５の信号電線との配置の関係を示す説明図である。
【図９】従来例に係るケーブル圧接型コネクタにおける絶縁性ハウジング１１の平面図（Ａ），正面図（Ｂ），側面図（Ｃ）である。
【図１０】同従来例に係るケーブル圧接型コネクタにおける圧接カバー１２の正面図（Ａ），底面図（Ｂ），側面図（Ｃ）である。
【発明を実施するための形態】
【００１２】
本発明に係るケーブル圧接型コネクタ１は、図１に示すように、絶縁性ハウジング２と圧接カバー３との幅方向の中央部に、浮上り防止手段４を設けて前記圧接カバー３の浮上がりを防止するものである。
【実施例１】
【００１３】
前記ケーブル圧接型コネクタ１は、図２に示すように、絶縁性ハウジング２と該絶縁性ハウジング２に固定して併設された複数個のコンタクト５と、該コンタクト５の露出した端子部５ａに電気的に接続される電線６を圧入するように前記絶縁性ハウジング２に結合される絶縁性圧接カバー３とから成る。前記コンタクト５の先端側の端子部５ｂは、絶縁性ハウジング２の接続部２ｃ表面に露出して併設されている。
【００１４】
前記圧接カバー３におけるケーブル幅に対応する幅方向ａの両端部に設けられる係止部３ａ，３ｂと、該両端部に結合時に対応する位置に前記絶縁性ハウジング２に設けられる係合固定部２ａ，２ｂとが設けられると共に、前記圧接カバー３の幅方向ａの中央部とこれに対応する位置の前記絶縁性ハウジング２の中央部とに、先端部に係止爪４ｃを有する弾性片４ａとこの弾性片４ａの係止爪４ｃに対応して係止する係止部４ｂとをそれぞれ一方と他方とに備えて成る浮上り防止手段４を設ける。なお、前記圧接カバー３の両端部の係止部３ａ，３ｂと、対応する前記絶縁性ハウジング２に設けられる係合固定部２ａ，２ｂとは、前記浮き上がり防止手段４が必要数有ることで、設けられない場合もある。
【００１５】
前記浮上り防止手段４は、弾性片４ａと係止部４ｂとで構成されるものであり、図１乃至図２においては、弾性片４ａを圧接カバー３側に設けているが、この関係を逆にしても良い。要は、この浮上り防止手段４が在ることで、絶縁性ハウジング２に嵌合させた圧接カバー３の中央部が浮き上がらない様になれば良いのである。
【００１６】
前記浮上り防止手段４は、ケーブル圧接型コネクタ１のコンタクト５の数に応じて、一個所若しくは複数個所に設けられる。図１乃至図３に示す実施例１では、３個所に設けている。なお、圧接カバー３の中央部の浮き上がりを防止するものであるので、幅方向ａの中央部には必ず前記浮上り防止手段４が設けられるものである。
【００１７】
前記浮上り防止手段４における係止爪４ｃと係止部４ｂとの係止作用を、ケーブル圧接型コネクタ１の外部から解除できるように、係止部４ｂ側の絶縁本体に圧接方向において解除操作できる切欠き部２ｄが設けられている。この浮き上がり防止手段４は、ケーブル６の端面側と引き回し側との絶縁性ハウジング２及び圧接カバー３とにそれぞれ対にして設けられる。また、浮き上がり防止手段４の係止部４ｂと係止爪４ｃとの引っ掛け方向は、ケーブル６の端面側と引き回し側とで、互いに直交する方向となっていて、圧接カバー３が絶縁性ハウジング２から、一層抜けにくくなっている。
【００１８】
前記切欠き部２ｄは、絶縁性ハウジング２側の係止部４ｂを形成するために、金型の抜き方向（下方向）となるので、それ用の開口部を若干大きくしたものである。これにより、図４（Ｃ）に示すように、係止爪４ｃが切欠き部２ｄから目視できるので、工具を使用して浮上り防止手段４の係止作用を解除させることが容易となる。よって、圧接カバー３を緊急時に絶縁性ハウジングから外さなければならないときに、前記切欠き部２ｄに工具を入れて係止爪の係止作用を解除させて外すことが可能となり、便宜である。
【実施例２】
【００１９】
図６乃至図７に示すように、ケーブル圧接型コネクタ１ａは、絶縁性ハウジング７におけるコンタクト５の先端部の端子部５ｂが、ケーブル６の水平な引き回し方向に対して垂直方向に接触部があるものである。浮上り防止手段４の構成は、前記実施例１の場合と同様である。
【実施例３】
【００２０】
また、前記浮上り防止手段４の設ける位置については、図８に示すように、浮上り防止手段４が複数個所に設けられる際に、一群の信号電気端子部同士の間のクリアランスｂに対応した位置に前記浮上り防止手段４が設けられるものである。前記信号電気端子部は、例えば、四つの信号線と一つのグランド線である。このようにすることで、信号線の回路設計と絶縁性ハウジングの機械設計との折り合いがスムーズになり、信号線同士のクロストーク（混話）も防止できるものである。
【００２１】
このような構成のケーブル圧接型コネクタ１，１ａにおいて、圧接カバー３にケーブル６を装着し、その先端部を綺麗に切りそろえて、絶縁性ハウジング２のコンタクト５の露出した端子部５ａに前記ケーブル６が内縁刃で被覆が切られて電気的に接触し、圧接カバー３の幅方向ａ両端部の係止部３ａ，３ｂと、幅方向ａにおける中央部の浮上り防止手段４の弾性片４ａとが、それぞれ係止相手の係合固定部２ａ，２ｂ、係止部４ｂに係止されて、圧接カバー３が強固に装着・保持される。これにより、圧接カバー３の中央部の浮き上がり現象が生じる事もない。
【産業上の利用可能性】
【００２２】
電気的コネクタにおいて、ケーブルなどを圧接するようなカバーにおいて広く応用することができる。
【符号の説明】
【００２３】
１          ケーブル圧接型コネクタ、
１ａ        垂直型ケーブル圧接型コネクタ、
２          絶縁性ハウジング、                  ２ａ，２ｂ      端子部、
２ｃ        接続部、                            ２ｄ            切欠き部、
３          圧接カバー、                        ３ａ，３ｂ      係止部、
４          浮上り防止手段、                    ４ａ            弾性片、
４ｂ        係止部、                            ４ｃ            係止爪、
５          コンタクト、                        ５ａ            端子部、  
５ｂ        端子部、  
６          電線（ケーブル）、
７          絶縁性ハウジング、
１１        ハウジング、
１２        圧接カバー、
１２ａ      中間部。
【図１】
2011090831.tif 000003
【図２】
2011090831.tif 000004
【図３】
2011090831.tif 000005
【図４】
2011090831.tif 000006
【図５】
2011090831.tif 000007
【図６】
2011090831.tif 000008
【図７】
2011090831.tif 000009
【図８】
2011090831.tif 000010
【図９】
2011090831.tif 000011
【図１０】
2011090831.tif 000012